(57)【要約】【課題】伝送路特性の変動に応じ、０クリア方式の自動等化処理と等化性能の良いタップ係数値保持方式を切り替えて使用することにより、伝送路特性の変動に対しての追従速度を改善すること。【解決手段】伝送路等化のための波形等化用基準信号が周期的に挿入された伝送データを受信するデジタル無線受信装置において、送信装置からの伝送データを受信し復調する受信復調手段と、該受信復調した伝送データがそれぞれ供給される第１と第２の自動等化器と、該第１と第２の自動等化器の出力を切り換えて取り出す切換手段と、該切換手段を伝送路の特性変動に応じて切り換え制御する特性変動検出手段を有し、該特性変動検出手段出力により切換手段を制御し、第１と第２の自動等化器の出力を選択するようにしたものである。【選択図】      図１
2004274498.tif 000002
【特許請求の範囲】
【請求項１】
伝送路等化のための波形等化用基準信号が周期的に挿入された伝送データを受信するデジタル無線受信装置において、送信装置からの上記伝送データを受信し復調する受信復調手段と、該受信復調した伝送データがそれぞれ供給される第１と第２の自動等化器と、該第１と第２の自動等化器の出力を切り換えて取り出す切換手段と、該切換手段を伝送路の特性変動に応じて切り換え制御する特性変動検出手段を有し、該特性変動検出手段出力により上記切換手段を制御し、上記第１と第２の自動等化器の出力を選択することを特徴とするデジタル無線受信装置。
【請求項２】
請求項１において、上記第１の自動等化器は、０クリア方式の自動等化器、上記第２の自動等化器は、タップ係数値保持方式の自動等化器で構成されており、上記特性変動検出手段は、伝送路の特性変動が大きい場合にはタップ係数値を０クリアする上記第１の自動等化器を選択し、伝送路の特性変動が小さい場合には前回のタップ係数値を引きついで等化処理を行う上記第２の自動等化器を選択するよう上記切換手段を制御することを特徴とするデジタル無線受信装置。
【請求項３】
請求項１または２において、上記特性変動検出手段は、上記第１と第２の自動等化器のいずれかのタップ係数値について、前回のタップ係数値と今回のタップ係数値との差分を求め、その差分の大小で伝送路の特性変動の大小を判定することを特徴とするデジタル無線受信装置。
【発明の詳細な説明】
【０００１】
【発明の属する技術分野】
本発明は、波形等化用基準信号を用いて等化処理を行うデジタル無線伝送装置に関するものである。
【０００２】
【従来の技術】
近年、地上波放送のデジタル化に伴い、デジタル無線伝送装置が用いられるようになっている。  特に、公共の放送業務用などの極めて高い信頼性が要求される伝送装置では、実際の放送時の故障に対する耐性や保守作業時の運用性確保、即ち、放送を中断することなく、故障の修理や保守を行う等の見地から信号伝送装置を二重にし、冗長性が与えられるように構成される場合が多い。
このようなデジタル無線伝送装置では、放送に用いるテレビジョン信号などの伝送データの他に、無線伝送路の特性変動に対応するために使用される波形等化用基準信号、所謂、トレーニング信号などの非伝送データが一定周期で挿入されて伝送される場合が多い。なお、トレーニング信号については後述する。
【０００３】
ここで、デジタル無線伝送装置の送信側において、二重化された送信装置を切り換える際に、非伝送データの伝送期間に切り換えを行なうことで、切り換えに伴うデータの欠落が生じないようにする方式が提案されている。  その一例を、図４および図５で説明する。図４は、二重系デジタル無線伝送装置の送信側装置の構成を示すブロック図、図５は、その動作を説明するための図である。なお、図５の横軸は、時間を示している。図４は、一例として、同一の信号に対して、入力からアンテナの手前までを１号系送信装置１と２号系送信装置２の二重系とし、アンテナ４を共通にした場合のプロック図を示している。
【０００４】
１号系送信装置１と２号系送信装置２には、同じ信号源から１号系信号と２号系信号として分配され、それぞれの装置に入力される。  また、同期生成器１２は、非伝送データ挿入信号、例えば、トレーニング信号を生成し、１号系非伝送データ挿入部１０、２号系非伝送データ挿入部１１及び同期切換信号発生器９に出力される。これにより、１号系非伝送データと２号系非伝送データとは、同期して伝送される。
まず、１号系送信装置１に入力された１号系信号は、１号系非伝送データ挿入部１０に入力される。１号系非伝送データ挿入部１０では、同期生成器１２から供給される非伝送データ挿入信号を一定周期でベースバンドの伝送信号に挿入され、図５に示す１号系伝送データ（ａ）のように組み合わせデータとして１号系デジタル変調部５に出力される。
【０００５】
同様に、２号系送信装置２に入力された２号系信号は、２号系非伝送データ挿入部１１で非伝送データ挿入信号を一定周期でベースバンドの伝送信号に挿入され、図５に示す２号系伝送データ（ｂ）のように組み合わせデータとして２号系デジタル変調部６に出力される。また、図５において、（ｃ）は非伝送データ挿入同期信号、（ｄ）はＲＦ切換制御信号、（ｅ）はＲＦ出力切換同期制御信号、（ｆ）はＲＦ出力切換器から出力される伝送データの内容を示している。
１号系デジタル変調部５は、入力された組み合わせデータをデジタル変調し、１号系送信周波数変換部７に出力する。１号系送信周波数変換部７は、入力された信号を所定の周波数のＲＦ信号に周波数変換し、ＲＦ出力切換器３に出力され、アンテナ４からＲＦ出力として伝送される。同様に、２号系送信装置２に入力される２号系信号も２号系非伝送データ挿入部１１、２号系デジタル変調部６、２号系送信周波数変換部８を通り、ＲＦ出力切換器３に出力される。
【０００６】
同期切換信号発生器９は、ＲＦ切換動作制御信号を発生し、故障発生時や保守作業時等で１号系送信装置１から２号系送信装置２へ、また逆に、２号系から１号系へ送信の切換えを行なう場合、装置運用者の所定の操作によりＲＦ出力部を切り換える動作をする。即ち、図５の時刻ｔ０でＲＦ切換制御信号が入力され、１号系から２号系へ切換えの指示があった場合、ＲＦ出力切換動作同期制御信号を生成し、次の非伝送データ同期信号が発生する時刻ｔ１から所定の時間τ遅延させたタイミングでＲＦ切換器３を切り換える。これにより今まで、１号系受信装置１からの信号を送信アンテナ４に出力していたものを、２号系受信装置２からの信号を送信アンテナ４に出力するようにする。従って、この方式は、非伝送データの区間で切り換わるので、伝送データが欠落するのを回避した無瞬断の切換動作を実現することができる。
【０００７】
以上のような構成と制御により、２系統の送信装置１および２の非伝送データの送信期間が一致し、切換時には、図５に示したタイミングでＲＦ出力の切換が行われ、伝送データが欠落するのを回避した無瞬断の切換動作を実現している。
而して、上述した二重系のデジタル無線送信装置において、非伝送データ区間で切り換えて伝送データが欠落するのを防止する方法を説明したが、この非伝送データでの切り換えに関して、受信側の自動等化器に関してもいろいろな問題があることが明らかになった。以下これについて説明する。
【０００８】
上記従来の装置で説明した二重系のデジタル無線送信装置のアンテナから、デジタルの伝送データが送信されるが、伝送路の波形歪やエコーなどが発生する。従って、受信側では、これらを等化するために自動等化器を内蔵した受信装置が良く知られている。この自動等化器を等化状態にするために、前述したように、予め決められたトレーニング信号（図５に示す非伝送データに相当する）と呼ばれる信号を、送信側から受信側に伝送する。
このデジタル伝送データは、例えば、我が国の標準規格（ＡＲＩＢ  ＳＴＤ−Ｂ１１．０版）（１９９７年５月策定、社団法人  電波産業会）では、図６に示すように、１９２００シンボル（１．２ｍｓｅｃ）からなるフレームＦの繰返し信号であり、このフレームデータは、２５５シンボルのトレーニング信号Ｔ（ここで、トレーニング信号を総称する時には、トレーニング信号Ｔとし、個々のトレーニング信号を説明する時には、Ｔ１，Ｔ２，・・・と称することにする）と残りのシンボルをデータ信号Ｄ（同様に、データ信号を総称する場合はデータ信号Ｄ、個々の場合はＤ１，Ｄ２，・・・と称する）とする信号から構成されている。
【０００９】
このデジタルデータを受信する受信側では、送信側で発生させたトレーニング信号Ｔと全く同じトレーニング信号を発生させて、受信した信号との差をとり、自動等化器のタップ係数値の更新を行ない、等化状態に引き込ませる。
この等化アルゴリズムについては、“適応ディジタル信号処理と自動等化器”（非特許文献１参照）に詳しく解説してあるので、ここでは説明を省略する。
【００１０】
この自動等化器の等化引き込み状況を図７に示す。ここで、トレーニング信号の等化アルゴリズムは、例えば、（１）式のようにするのが一般的である。
（Ｃｎ＋１）＝（Ｃｎ）−α・（Ｘ＊）・（ｅ）  ・・・・・・・・  （１）
ここに、Ｃｎは、ｎ時刻のタップ係数値、Ｃｎ＋１は、（ｎ＋１）時刻のタップ係数値、Ｘ＊は入力信号の共役複素数、ｅは等化残誤差、αはタップ更新ゲインを表す。なお、（１）式に使用されている（）は、（）内の記号が複素信号であることを表している。以下、このような表示を本明細書では、図面を含め複素信号表示とする。
【００１１】
図７は、縦軸に等化残誤差量、横軸に引き込み時間を示し、αをパラメータにした等化引き込み状況を示している。図７から明らかなように、（１）式のタップ更新ゲインαの値の大きさにより、引き込みの様子が異なる。即ち、αを比較的大きくすれば、引き込み時間は短くなるが、引き込み後の等化残誤差量は大きくなる。また、αを小さくすれば、引き込み等化後の等化残誤差量は小さくなるが、引き込み速度が遅くなり、等化状態に到達するのに時間がかかる。従って、引き込み時間と等化後の等化残誤差との関係は、トレードオフの関係にあり、αを適切な値に決めることが必要になる。なお、αの値は、一般的に０．００１あるいは０．００２等のような大きさの値であるが、具体的には、等化器を設計する場合の引き込み時間と等化残誤差の目標値を設定し、決定するのが望ましい。
【００１２】
而して、同じαでも等化残誤差が大きい時は、急速に引き込んでいくが、等化残誤差が小さくなるにつれて、その引き込み速度は、だんだんと鈍くなり、時間がかかるようになる。従って、完全に引き込むまでには、相当な時間がかかるので、等化誤差がある程度以下となる時間で打ち切るのが普通である。
図６に示したようなデジタルデータ構成、つまり、トレーニング信号Ｔとデータ信号Ｄとを交互に挿入するシステムでは、トレーニング信号Ｔを送出している期間は、データ伝送ができないので、その期間をできるだけ短くしてデータ伝送効率を上げようとする。それとは反対にデータ信号Ｄの期間を長くすれば同様にデータ伝送効率が上がるが、今度は、トレーニング信号Ｔの挿入間隔が長くなって、伝送路の変化に追従できなくなる。  従って、使用する伝送路の変化状況により、トレーニング信号Ｔとデータ信号Ｄの構成比を決めるのが望ましい。こういった意味から、トレーニング信号Ｔは、短い方が良いが、等化残誤差が完全に最小値に至らないトレーニング信号Ｔの期間を採用する場合が多くなっている。
【００１３】
また、その等化残誤差をタップ更新ゲインαに対応した最小値にするための方法として、トレーニング信号Ｔで等化した結果のタップ係数値を記憶しておき、次のトレーニング信号Ｔのスタート時に初期値としてこの記憶しておいたタップ係数値を読み出して使用する。そして、トレーニング信号Ｔによる等化引き込みを継続して行ない、更に、そのトレーニング信号Ｔ１での最終のタップ係数値を記憶して、次のトレーニング信号Ｔ２での等化の初期値とすることにより、等化残誤差を順次低減する方法がある。以下このような方式をタップ係数値保持方式と称することにする。
【００１４】
図８は、上述したように前回のタップ係数値を保持し、等化残誤差を順次低減するタップ係数値保持方法を示したものである。即ち、等化器に受信された信号と等化特性を示すもので、トレーニング信号Ｔ１で等化した結果のタップ係数値を記憶しておき、次のトレーニング信号Ｔ２では、前のトレーニング信号Ｔ１で等化した結果のタップ係数値を読み出し、これを初期値としてトレーニング信号Ｔ２で等化し、この結果のタップ係数値を記憶し、次のトレーニング信号Ｔ３では、トレーニング信号Ｔ２で等化した結果のタップ係数値を読み出し等化する。このようにすることによって、長いトレーニング信号で引き込んだ場合と同等の等化効果が得られ、自動等化器が完全に引き込み状態となり、等化残誤差をタップ更新ゲインαにおける最小値に到達させることができる。その結果、等化残誤差量を小さくでき、伝送データのビット誤り率が低くなり、データ伝送の誤りが極めて少なくなり、信頼性の高いデジタル伝送システムとすることができる。
【００１５】
図９は、図８に示すタップ係数値保持方式の従来の自動等化器の具体的構成を示すブロック図である。なお、図９において、信号線の大線は、ベクトル量を表わし、細線は、スカラー量を表わしている。以下の各図においても同様である。伝送路から伝送され、復調部で復調されたベースバンド信号（Ｘ）は、入力端子５０に印加される。このベースバンド信号（Ｘ）は、（２）式で表される。
（Ｘ）＝Ｘｉ＋ｊ・Ｘｑ    ・・・・・・・・・・・・・  （２）
なお、Ｘｉは、直交座標軸で同相成分、Ｘｑは、直交成分を表す。
このベースバンド信号（Ｘ）は、タップ係数値可変のトランスバーサルフィルタ５１に供給され、トランスバーサルフィルタ５１からは、出力信号Σ（Ｃ）・（Ｘ）が出力され、出力端子５２から自動等化されたデジタルデータが得られる。
【００１６】
トランスバーサルフィルタ５１の出力は、演算器（ここでは加算器）５３に印加される。一方、受信側では、送信側で発生したトレーニング信号Ｔと同じ基準信号（Ｒｅｆ）が基準信号発生器（図示せず）で発生され、端子５４に印加される。
この基準信号（Ｒｅｆ）は、例えば、６４ＱＡＭ信号では、Ｉ、Ｑ直交座標で決まる基準信号である。加算器５３では、この（Ｒｅｆ）信号とトランスバーサルフィルタ５１の出力信号との差が取られ、その等化残誤差（ｅ）が得られる。入力端子５０に印加されたベースバンド信号（Ｘ）は、共役複素数変換器５５にも印加され、その出力として（３）式で示される共役複素数信号（Ｘ＊）が得られる。
（Ｘ＊）＝Ｘｉ−ｊ・Ｘｑ    ・・・・・・・・・・・・・・  （３）
次に、この共役複素数信号（Ｘ＊）と誤差（ｅ）とが乗算器５６で積算され、更に、乗算器５７でタップ更新ゲインαが積算される。従って、乗算器５７の出力として、α・（Ｘ＊）・（ｅ）が得られ、これが加算器５８に印加される。
【００１７】
５９は、スイッチ回路であり、端子６１には、“（０）”が与えられている。トレーニング信号Ｔがないとき、即ち、スタート時は、スイッチ回路５９は接点ｄから“（０）”の信号が加算器５８に印加されている。そして、トレーニング信号Ｔが到来すると、スイッチ回路５９の接点は、ｃに切替わり、遅延回路６０からの信号が加算器５８に印加される。
遅延回路６０は、遅延時間ＴＢ（１／変調速度）の遅延時間を有し、遅延時間ＴＢだけ遅延させたタップ係数値（Ｃｎ）が加算器５８に印加される。  従って、加算器５８の出力は、（１）式に示すものとなり、新しいタップ係数値（Ｃｎ＋１）となる。以後この新しいタップ係数値（Ｃｎ＋１）がトランスバーサルフィルタ５１のタップ係数を更新し、自動等化器３６は動作する。
【００１８】
トレーニング信号Ｔの期間、この等化アルゴリズムにより、等化動作を行なうことにより、トランスバーサルフィルタ５１の特性は、伝送路３３の周波数特性の逆特性となっていき、等化残誤差が最小となり、等化状態になったときには、トランスバーサルフィルタ５１の出力信号は、伝送路の周波数特性を等化した状態となり、歪みのない信号となる。
【００１９】
また、前回のタップ係数値を保持しないで、トレーニング信号Ｔが到来する度にタップ係数値を０にする自動等化回路は、図９の自動等化回路で実現できる。なお、このような方式の自動等化回路を０クリア方式の自動等化回路と称することにする。図９においてトレーニング信号Ｔが到来する度に、スイッチ回路５９の接点は、ｄに接続され、端子６１の“（０）”が加算器５８に印加され、トランスバーサルフィルタ５１のタップ係数値が０クリアされ、その直後にスイッチ回路５９の接点は、ｃに切替わり、遅延回路６０からの信号が加算器５８に印加される。これにより０クリア方式の自動等化回路が実現できる。
【００２０】
【非特許文献１】
“１１．適応ディジタル信号処理と自動等化器”、電子通信学会編、昭和５０年１１月、２３１頁〜２４３頁
【００２１】
【発明が解決しようとする課題】
以上説明したように、自動等化回路には、トレーニング信号Ｔを受信したときに、タップ係数値を全て０クリアして等化引き込み処理を行なう０クリア方式と、前回受信したときに引き込んだタップ係数値の情報を継続して行なうタップ係数値保持方式とがある。そして自動等化回路では、等化残誤差を減少させるためには、０クリア方式よりも、前回受信したときに引き込んだタップ係数値の情報を継続して等化引き込みするタップ係数値保持方式の方が性能が向上することが分かっている。しかしながら先に説明した二重系のデジタル無線装置では、タップ係数値の情報を継続する等化方式にすると、切り換えをしたとき、等化状態が悪くなり、ビットエラーが発生する可能性がある。即ち、デジタル無線装置の性能を上げようとすると、二重系のデジタル無線装置として切り換えが不可能となるが、切り換えを行なおうとすると、前回受信したときに引き込んだタップ係数値の情報を保持できないので、性能を下げたままで使用しなければならないという不都合がある。
本発明は、これらの欠点を除去し、伝送路特性の変動に応じ、０クリア方式の自動等化処理と等化性能の良いタップ係数値保持方式を切り替えて使用することにより、伝送路特性の変動に対しての追従速度を改善することを目的とする。
【００２２】
【課題を解決するための手段】
本発明は上記の目的を達成するため、伝送路等化のための波形等化用基準信号が周期的に挿入された伝送データを受信するデジタル無線受信装置において、送信装置からの伝送データを受信し復調する受信復調手段と、該受信復調した伝送データがそれぞれ供給される第１と第２の自動等化器と、該第１と第２の自動等化器の出力を切り換えて取り出す切換手段と、該切換手段を伝送路の特性変動に応じて切り換え制御する特性変動検出手段を有し、該特性変動検出手段出力により切換手段を制御し、第１と第２の自動等化器の出力を選択するようにしたものである。
また、第１の自動等化器は、０クリア方式の自動等化器、第２の自動等化器は、タップ係数値保持方式の自動等化器で構成されており、特性変動検出手段は、伝送路の特性変動が大きい場合にはタップ係数値を０クリアする第１の自動等化器を選択し、伝送路の特性変動が小さい場合には前回のタップ係数値を引きついで等化処理を行う第２の自動等化器を選択するよう切換手段を制御するものである。
また、特性変動検出手段は、第１と第２の自動等化器のいずれかのタップ係数値について、前回のタップ係数値と今回のタップ係数値との差分を求め、その差分の大小で伝送路の特性変動の大小を判定するものである。
即ち、伝送路特性の変動が発生したときに、一時的に自動等化器の等化方式を０クリア方式に切り替え、変動が収束した後、タップ係数値保持方式に戻すようにする。そうすることで、伝送路特性が時間的に変化しない場合にはタップ係数値保持方式にて性能が向上した状態で伝送されてくる信号を受信でき、また、特性変動に対しては０クリア方式による追従性能が確保できる。
【００２３】
【発明の実施の形態】
本発明の一実施例を、図１、図２、図３を用いて説明する。  図２は、本発明に係るデジタル無線伝送装置の受信側装置の概略構成を示すブロック図であり、図１は図２に示すデジタル復調部の一実施形態で、自動等化器を使用した場合のブロック図である。図３は図１の動作を説明するタイミングチャートである。
図２において、２０は送信側から送信されてくるＲＦ送出信号を受信するアンテナ、２１は受信周波数変換部で、所定の周波数帯の信号（通常は、中間周波数（ＩＦ）信号）に変換される。２２はデジタル復調部で、ここで復調された信号は、出力端子２３から出力され、必要な信号処理を行って、モニタ（図示せず）等に表示される。
【００２４】
図１において、受信周波数変換部２１（図２）の出力は、入力端子２５を介してデジタル復調部２２の復調回路２６に印加され、ここでベースバンド信号に変換される。このベースバンド信号を自動等化するために、タップ係数値保持方式の自動等化器２７と０クリア方式の自動等化器２８へ入力され、各々の自動等化器で処理されたタップ係数値および等化されたベースバンド信号は、切り換え回路２９によって切り換えられる。
なお、以下の説明では、装置構成（ハードウェアのイメージ）で説明しているが、ソフトウェアで構成している場合には、上記切り換えはソフトウェア処理の変更でよい。また、図１に示したような自動等化機能のブロック全体を切り換えずに、共通する部分はそのままとして、タップ係数値保持方式と０クリア方式とで相違する部分だけを切り換えても構わない。
【００２５】
切り換え回路２９で切り換えられたベースバンド信号は、データ変換回路３０へ出力され、タップ係数値は遅延回路３１へ出力される。遅延回路３１は、前回の等化処理でのタップ係数値を加算器３２へ出力し、そこで０クリア方式の自動等化器２８の現在のタップ係数値との差分がとられ、この差分が特性変動検出回路３３へ渡される。
０クリア方式の自動等化器２８で得られるタップ係数値は、現時点での伝送路特性に応じて即座に変化するため、上記差分は前回の等化処理以降の伝送路特性の変動の大きさを表す。特性変動検出回路３３は、上記差分とシミュレーションや実験などで求めたしきい値とを比較し、伝送路特性の変動が大きいと判断した場合は、切り換え回路２９の接点をｂ側に切り換え、０クリア方式の自動等化器２８を選択する。また、変動が小さいと判断した場合、接点をａ側に切り換え、タップ係数値保持方式の自動等化器２７を選択する。
【００２６】
上記自動等化動作の詳細を図３のタイミングチャートに示し詳細に説明する。図３において、伝送路特性（ｂ）は、最初は、状態Ａであり、切り換え回路２９の接点選択信号（ｄ）はａ側であり、自動等化動作（ｅ）は、タップ係数値保持方式の自動等化器２７が選択され、状態Ａの伝送路特性に十分に等化され、タップ係数差分（ｃ）が小さい状態にいるものとする。
受信するデータ（ａ）には、前述のように放送用信号等のデータにトレーニング信号が周期的に挿入されている。自動等化器２７，２８は、トレーニング信号を受信する度に等化処理を行い、タップ係数値が算出されると共に、０クリア方式の自動等化器２８では、前回とのタップ係数値との差分が算出される。
【００２７】
ここで、伝送路特性（ｂ）が状態Ａから状態Ｂへと変化した場合、その次の等化処理時のタップ係数値の差分（ｃ）は増大する。  そこで、特性変動検出回路３３により、その差分量が大きいと判断された場合、切り換え回路接点選択信号（ｄ）がａ側からｂ側へと切り換わり、０クリア方式の自動等化器２８が選択される。
これにより、今まで状態Ａを等化するように設定されていたタップ係数値が、直ちに状態Ｂを等化するように変更される。従って、その次の等化処理時には、タップ係数値差分（ｃ）は小さくなり、切り換え回路接点選択信号（ｄ）はａ側に移り、タップ係数値保持方式の自動等化器２７が選択され、等化性能の良いタップ係数値保持方式の等化処理に戻る。
【００２８】
【発明の効果】
本発明は、以上説明したような等化処理制御を行うことで、伝送路特性の変動が発生した場合には０クリア方式の自動等化処理を行い、その変動に追従させ、通常は性能の高いタップ係数値保持方式の自動等化処理を行うことが可能となり、より高性能のデジタル無線伝送装置を提供することができる。
【図面の簡単な説明】
【図１】本発明のデジタル復調部の一実施例の構成を示すブロック図
【図２】本発明のデジタル無線伝送装置の構成を示すブロック図
【図３】本発明の動作を説明するタイミングチャート
【図４】二重系デジタル無線伝送装置の送信側装置の構成を示すブロック図
【図５】図４の動作を説明するための図
【図６】本発明に使用するデジタルデータの一例を示す模式図
【図７】トレーニング信号受信による自動等化回路の引き込み状態を説明する図
【図８】複数のトレーニング信号を使用した場合の自動等化動作を説明する図
【図９】従来の自動等化回路の一例を示すブロック図
【符号の説明】
２２：デジタル復調部、２６：復調回路、２７：タップ係数値保持方式の自動等化器、２８：０クリア方式自動等化器、２９：切り換え回路、３０：データ変換回路、３１：遅延回路、３２：加算器、３３：特性変動検出回路。
【図１】
2004274498.tif 000003
【図２】
2004274498.tif 000004
【図３】
2004274498.tif 000005
【図４】
2004274498.tif 000006
【図５】
2004274498.tif 000007
【図６】
2004274498.tif 000008
【図７】
2004274498.tif 000009
【図８】
2004274498.tif 000010
【図９】
2004274498.tif 000011